(57)【要約】  二重接続をサポートするための方法および装置が、本発明において提供される。本方法は、ＵＥが最初にマクロ基地局にアクセスするときに、現在のＬＣＨがＰセルによって処理されるように、ＵＥをＰセルに接続する初期化ステップであって、Ｐセルは、マクロ基地局に関連付けられ、また一次成分キャリアの上で動作する、初期化ステップと、ＬＣＨが、マクロ基地局、またはスモール・セル基地局によって処理されるべきであり、あるいはＰセルまたはＳセルによって処理されるべきであることを専用のＲＲＣメッセージを通してＵＥに対して示すための表示ステップであって、Ｓセルは、二次成分キャリアの上で動作する、表示ステップとを含む。
2016518062.tif 000002
【特許請求の範囲】
【請求項１】
１つのマクロ基地局と、１つまたは複数のスモール・セル基地局とを含むワイヤレス通信ネットワークにおいて、二重接続をサポートするための方法であって、
ユーザ機器（ＵＥ）が最初に前記マクロ基地局にアクセスするときに、現在の論理チャネル（ＬＣＨ）が一次セル（Ｐセル）または前記マクロ基地局によって処理されるように、前記ＵＥを前記Ｐセルまたは前記マクロ基地局に接続するための初期化ステップであって、前記Ｐセルは、前記マクロ基地局に関連付けられ、また一次成分キャリアの上で動作する、初期化ステップと、
前記ＬＣＨが、前記マクロ基地局、または前記スモール・セル基地局のうちの１つによって処理されるべきであり、あるいは前記Ｐセルまたは二次セル（Ｓセル）によって処理されるべきであることを専用の無線リソース制御（ＲＲＣ）メッセージを通して前記ＵＥに対して示すための表示ステップであって、前記Ｓセルは、二次成分キャリアの上で動作する、表示ステップと
を含む方法。
【請求項２】
前記ＲＲＣメッセージは、無線ベアラ（ＲＢ）の構成／再構成のためのＲＲＣメッセージであり、また前記表示ステップは、前記ＲＢが前記Ｐセルまたは前記Ｓセルによって処理されるべきであることを示し、あるいは前記ＲＢが前記マクロ基地局または前記スモール・セル基地局によって処理されるべきであることを示す新しい情報要素を前記ＲＲＣメッセージに追加するステップを含む、請求項１に記載の方法。
【請求項３】
空である前記情報要素は、前記ＲＢが前記Ｐセルによって処理されるべきであることを示し、または前記ＲＢが前記マクロ基地局によって処理されるべきであることを示す、請求項２に記載の方法。
【請求項４】
前記ＲＲＣメッセージは、Ｓセルの構成／再構成のためのＲＲＣメッセージであり、また前記表示ステップは、Ｓセルを構成する／再構成するときに、前記構成された／再構成されたＳセルによって処理されるべきＲＢ／ＬＣＨを前記ＵＥに対して示す新しい情報要素を前記ＲＲＣメッセージに対して追加するステップを含む、請求項１に記載の方法。
【請求項５】
前記表示ステップは、前記ＲＢ／ＬＣＨを構成する／再構成するときに、前記構成された／再構成されたＲＢ／ＬＣＨが前記Ｐセルまたは前記Ｓセルによって処理されるべきであることを示す新しい情報要素を追加するように、前記ＲＢ／ＬＣＨの構成／再構成メッセージをアップデートするステップを含む、請求項４に記載の方法。
【請求項６】
前記表示ステップは、前記ＲＢ／ＬＣＨを構成する／再構成するときに、前記構成された／再構成されたＲＢ／ＬＣＨが前記マクロ基地局または前記スモール・セル基地局によって処理されるべきであることを前記ＵＥに対して示すために前記Ｓセルの構成／再構成ＲＲＣメッセージを使用するステップを含む、請求項４に記載の方法。
【請求項７】
前記表示ステップは、各ＲＢ／ＬＣＨを処理するための前記Ｐセルまたは前記Ｓセルを示し、あるいは各ＲＢ／ＬＣＨを処理するための前記マクロ基地局または前記スモール・セル基地局を示す新しい専用のＲＲＣメッセージを定義するステップを含む、請求項１に記載の方法。
【請求項８】
１つのマクロ基地局と、１つまたは複数のスモール・セル基地局とを含むワイヤレス通信ネットワークにおいて、二重接続をサポートするための方法であって、
一次セル（Ｐセル）または二次セル（Ｓセル）だけによって処理されるべき、あるいは前記マクロ基地局、または前記スモール・セル基地局のうちの１つだけによって処理されるべき論理チャネル（ＬＣＨ）のデータを有するステップと、
前記スモール・セル基地局の前記ＬＣＨマッピングされたＳセルが非アクティブにされ、または解放されるとき、また前記ワイヤレス通信ネットワークにおいて、前記スモール・セル基地局のうちの少なくとも別のアクティブなＳセルが存在するときに、前記アクティブなスモール・セル基地局を通して前記ＬＣＨのデータを送信するステップと、
スモール・セル基地局のうちのすべての前記Ｓセルが非アクティブにされ、または解放されるときに、前記マクロ基地局を通して前記ＬＣＨのデータを送信するステップと
を含む方法。
【請求項９】
１つのマクロ基地局と、１つまたは複数のスモール・セル基地局とを含むワイヤレス通信ネットワークにおいて、二重接続をサポートするための方法であって、
一次セル（Ｐセル）または二次セル（Ｓセル）だけによって処理されるべき、あるいは前記マクロ基地局、または前記スモール・セル基地局のうちの１つだけによって処理されるべき論理チャネル（ＬＣＨ）のデータを有するステップと、
前記スモール・セル基地局の前記ＬＣＨマッピングされたＳセルが非アクティブにされるときに、前記Ｓセルが再びアクティブにされるまで、前記ＬＣＨの送信を待ち状態にするステップと
を含む方法。
【請求項１０】
１つのマクロ基地局と、１つまたは複数のスモール・セル基地局とを含むワイヤレス通信ネットワークにおいて、二重接続をサポートするための方法であって、
一次セル（Ｐセル）または二次セル（Ｓセル）だけによって処理されるべき、あるいは前記マクロ基地局、または前記スモール・セル基地局のうちの１つだけによって処理されるべき論理チャネル（ＬＣＨ）のデータを有するステップと、
前記スモール・セル基地局の前記Ｓセルが非アクティブにされるときに、前記マクロ基地局が、前記Ｓセルのアクティブ化／非アクティブ化ＭＡＣ  ＣＥにおいて「Ｒ」ビットを設定することにより、ＵＥ動作を示すステップと
を含む方法。
【請求項１１】
「Ｒ」＝０は、前記ＵＥが、前記スモール・セル基地局を通して、Ｓセルの前記非アクティブ化によって影響を受ける前記ＬＣＨのデータを送信し続けることを示し、また「Ｒ」＝１は、前記ＵＥが、前記マクロ基地局を通して、Ｓセルの前記非アクティブ化によって影響を受ける前記ＬＣＨのデータを送信することを示す、請求項１０に記載の方法。
【請求項１２】
「Ｒ」＝０であり、アクティブである前記スモール・セル基地局の少なくとも１つのＳセルが存在するときは、前記ＵＥが前記スモール・セル基地局を通してデータ無線ベアラ（ＤＲＢ）データを送信し続けることを示し、「Ｒ」＝０であり、またアクティブである前記スモール・セル基地局のＳセルが存在していないときは、前記ＵＥがすべてのＤＲＢ送信を待ち状態にすることを示し、「Ｒ」＝１であり、またアクティブである前記スモール・セル基地局の少なくとも１つのＳセルが存在するときは、前記ＵＥが前記スモール・セル基地局の前記非アクティブにされたＳセルによって処理される前記ＬＣＨを待ち状態にすることを示し、また「Ｒ」＝１であり、またアクティブである前記スモール・セル基地局のＳセルが存在していないときは、前記ＵＥが前記マクロ基地局を通してすべてのＤＲＢを送信し続けることを示す、請求項１０に記載の方法。
【請求項１３】
アクティブ状態を保持する前記スモール・セル基地局の少なくとも１つのＳセルが存在する場合は、前記「Ｒ」ビットは、無視されることになり、「Ｒ＝０」であり、また前記スモール・セル基地局のすべてのＳセルが非アクティブであるときは、前記ＵＥは前記マクロ基地局を通して、スモール・セル基地局によって処理されるすべてのＬＣＨを送信し続け、「Ｒ＝１」であり、またスモール・セル基地局のすべてのＳセルが非アクティブであるときは、前記ＵＥは、前記スモール・セル基地局にマッピングされるすべてのＬＣＨを待ち状態にする、請求項１０に記載の方法。
【請求項１４】
１つのマクロ基地局と、１つまたは複数のスモール・セル基地局とを含むワイヤレス通信ネットワークにおいて、二重接続をサポートするための装置であって、
ユーザ機器（ＵＥ）が最初に前記マクロ基地局にアクセスするときに、現在の論理チャネル（ＬＣＨ）が一次セル（Ｐセル）または前記マクロ基地局によって処理されるように、前記ＵＥを前記Ｐセルまたは前記マクロ基地局に接続するように構成された初期化ユニットであって、前記Ｐセルは、前記マクロ基地局に関連付けられ、また一次成分キャリアの上で動作する、初期化ユニットと、
前記ＬＣＨが前記マクロ基地局またはスモール・セル基地局によって処理されるべきであり、あるいは前記Ｐセルまたは二次セル（Ｓセル）によって処理されるべきであることを専用の無線リソース制御（ＲＲＣ）メッセージを通して前記ＵＥに対して示すように構成された表示ユニットであって、前記Ｓセルは、二次成分キャリアの上で動作する、表示ユニットと
を備える装置。
【請求項１５】
１つのマクロ基地局と、１つまたは複数のスモール・セル基地局とを含むワイヤレス通信ネットワークにおいて、二重接続をサポートするための装置であって、
一次セル（Ｐセル）または二次セル（Ｓセル）だけによって処理されるべき、あるいは前記マクロ基地局、または前記スモール・セル基地局のうちの１つだけによって処理されるべき論理チャネル（ＬＣＨ）のデータを有するように構成された二重接続イネーブリング・ユニットと、
前記スモール・セル基地局の前記ＬＣＨマッピングされたＳセルが非アクティブにされ、または解放されるときに、また前記ワイヤレス通信ネットワークにおいて、前記スモール・セル基地局の少なくとも別のアクティブなＳセルが存在するときに、前記アクティブなスモール・セル基地局を通して前記ＬＣＨのデータを送信するように構成されたセル変更処理ユニットと
を備え、前記処理ユニットは、前記スモール・セル基地局のうちのすべてのＳセルが非アクティブにされ、または解放されるときに、前記マクロ基地局を通して前記ＬＣＨのデータを送信するようにさらに構成されている、装置。
【発明の詳細な説明】
【技術分野】
【０００１】
本開示は、一般に、ワイヤレス通信分野に関し、より詳細には、二重接続をサポートするための方法および装置に関する。
【背景技術】
【０００２】
異機種ワイヤレス通信ネットワークにおいては、通常、より広いカバレッジを有するマクロ基地局と、比較的小規模なカバレッジを有するマイクロ基地局とが存在している。図１は、先行技術におけるワイヤレス通信ネットワーク１００の概略図を示すものである。図１に示されるように、ワイヤレス通信ネットワーク１００は、それぞれ、基本的なネットワーク・カバレッジ１２０を提供するマクロ基地局１１０と、比較的小規模なネットワーク・カバレッジ１４２、１４４、１４６、および１４８（図面において右下がりの斜線によって印が付けられる）を提供する、より低電力を伴う１つまたは複数のスモール・セル基地局１３２、１３４、１３６、および１３８とを含む。マクロ基地局と、スモール・セル基地局との共通のカバレッジの中に位置しているユーザ機器（ＵＥ：Ｕｓｅｒ  Ｅｑｕｉｐｍｅｎｔ）１５０は、マクロ基地局１１０と、対応するスモール・セル基地局（例えば、スモール・セル基地局１３４）との両方と同時に通信接続を確立することができるであろう。
【０００３】
現在では、スモール・セル強化−ハイ・レイヤについての新しい研究項目（第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）ロング・ターム・エボリューション（ＬＴＥ：Ｌｏｎｇ  Ｔｅｒｍ  Ｅｖｏｌｕｔｉｏｎ）リリース１２（Ｒ１２）の研究項目（ＳＩ：ＲＰ−１２１８００））が、ＲＡＮ５８において承認されている。このＳＩの１つの重要な目的は、「二重接続」と、「異なるノードにおけるＣ（制御）−プレーンと、Ｕ（ユーザ）−プレーンとの分離」とについてのものであり、また主要な研究内容と、目的とは、以下のようであり、すなわち、
（１）異なるキャリアまたは同一のキャリアによってサービスされるマクロ・セルと、スモール・セルとの二重接続を有しており、またそのシナリオでは、そのような二重接続が、実現可能であり、また有利であるＵＥの利点を識別し、また評価することであり、
（２）制御プレーン（Ｃ−プレーン）と、ユーザ・プレーン（Ｕ−プレーン）との全体的な構造と、互いのそれらの関係、例えば、異なるノードにおけるＣ−プレーンと、Ｕ−プレーンとをサポートすること、異なるプロトコル・レイヤの終了などとを含めて、実現可能ならばコア・ネットワークに対する影響を最小にする二重接続の実現可能なシナリオのための可能性のあるアーキテクチャと、プロトコル強化とを識別し、また評価することである。
【０００４】
「二重接続」をサポートする１つの可能性のある問題解決手法は、一次セル（Ｐセル（Ｐｃｅｌｌ））として使用されるマクロ・セルが、一次成分キャリアの上で動作しており、また二次セル（Ｓセル（Ｓｃｅｌｌ））として使用されるスモール・セルが、二次成分キャリアの上で動作しているキャリア集約（ＣＡ：Ｃａｒｒｉｅｒ  Ａｇｇｒｅｇａｔｉｏｎ）概念に基づいている。この概念の最も重要な利点は、Ｐセル変化状況が、起こらないことになり、またそれゆえに、ハンドオーバ・プロシージャが、ＵＥがマクロ・セル・カバレッジの中に滞在する間にトリガされないことになる。またＵＥが、スモール・セル・カバレッジの中へと移動するときに、スモール・セルは、Ｓセルとして追加される可能性がある。一般に、マクロ基地局（ｅＮＢ＿Ｍ）とスモール・セル基地局（ｅＮＢ＿Ｓ）とによってそれぞれ制御される複数のキャリアが存在する可能性がある。これは、１つのＰセルが存在することになり、またｅＮＢ＿Ｍは、ゼロ個／１個／複数個のＳセルを制御することができ、またｅＮＢ＿Ｓはまた、ゼロ個／１個／複数個のＳセルを制御することもできることを意味している。
【０００５】
この「二重接続」に基づいて、Ｃ−プレーンと、Ｕ−プレーンとの分離についての別の特徴が、ＳＩにおいて提案されている。バックグラウンドは、スモール・セルが、３．５Ｇなど、より高い周波数帯域の上に位置している可能性があるというそのような考察に基づいている。それゆえに、より高い信頼性のために、マクロ・セルの中で送信されるようにするために、物理レイヤ（ＰＨＹ）信号、無線リソース制御（ＲＲＣ：Ｒａｄｉｏ  Ｒｅｓｏｕｒｃｅ  Ｃｏｎｔｒｏｌ）信号など、重要な信号を有することが役に立つ。それゆえに、異なるセルの上で、ＲＲＣ信号と、データ送信との分離をサポートすることが役に立つ。現在のＣＡ仕様を考慮すると、この分離をサポートするために、重要な影響は、２０１３年１月１８日に出願人によって提案された中国特許出願、「ＭＥＴＨＯＤ  ＦＯＲ  ＲＥＡＬＩＺＩＮＧ  ＴＨＥ  ＳＥＰＡＲＡＴＩＯＮ  ＯＦ  ＣＯＮＴＲＯＬ  ＰＬＡＮＥ  ＡＮＤ  ＵＳＥＲ  ＰＬＡＮＥ  ＢＡＳＥＤ  ＯＮ  ＣＡＲＲＩＥＲ  ＡＧＧＲＥＧＡＴＩＯＮ」において提案されるように、ＵＥ側の論理チャネル優先順位（ＬＣＰ：Ｌｏｇｉｃａｌ  Ｃｈａｎｎｅｌ  Ｐｒｉｏｒｉｔｙ）プロシージャに対する関連したオペレーションである。
【０００６】
さらに、大部分の会社は、「二重接続」についての彼らのサポートを示した。この機能をサポートする、人気のある、また主に提案された１つの問題解決手法は、ＣＡ概念に基づいている。Ｃ−プレーンと、Ｕ−プレーンとの分離に関しては、この機能をサポートすべきか否かについての明確な決定は依然として存在していないが、その利点は、特に、モビリティ管理プロシージャについて、多数の会社によって認識されている。また、システムの性能に対する異なる基地局の影響の間の非理想的なインターフェースを回避するために、ｅＮＢ＿Ｓが、それ自体のＴｘ／Ｒｘを制御するスケジューリング・オペレーションを行うが、ｅＮＢ＿Ｍスケジューリングに依存しないことが、多数の会社によって提案されている。これは、ｅＮＢ＿Ｍと、ｅＮＢ＿Ｓとの中でそれぞれ同時に機能する２つの分散型のスケジューラ・プロシージャが、存在することになることを意味している。この状況を容易にするために、１つのサービス、１つの論理チャネル（ＬＣＨ：Ｌｏｇｉｃａｌ  Ｃｈａｎｎｅｌ）、または１つの無線ベアラ（ＲＢ：Ｒａｄｉｏ  Ｂｅａｒｅｒ）のデータが、１つのノードの上でだけで送信されることも提案される。これは、Ｃ−プレーンと、Ｕ−プレーンとの分離の概念に類似している。この概念では、シグナリング無線ベアラ（ＳＲＢ：Ｓｉｇｎａｌｉｎｇ  Ｒａｄｉｏ  Ｂｅａｒｅｒ）のデータは、ｅＮＢ＿Ｍだけを通して送信されるが、データ無線ベアラ（ＤＲＢ：Ｄａｔａ  Ｒａｄｉｏ  Ｂｅａｒｅｒ）のデータは、ｅＮＢ＿Ｓだけを通して送信される。そのようにして、本発明者等は、このＣ−プレーンと、Ｕ−プレーンとの分離の概念は、より高いスモール・セル・スケジューリング効率を達成するために役に立つことを知ることができる。要約すれば、１つのノードを通して、１つのサービス／ＲＢ／ＬＣＨのデータを送信する提案をサポートすることが役に立ち、これは、スモール・セルのスケジューリング効率を改善する助けになるであろう。本開示は、この提案をどのようにして実現すべきかについての問題解決手法を考察し、提案するものである。
【先行技術文献】
【特許文献】
【０００７】
【特許文献１】中国特許出願、「ＭＥＴＨＯＤ  ＦＯＲ  ＲＥＡＬＩＺＩＮＧ  ＴＨＥ  ＳＥＰＡＲＡＴＩＯＮ  ＯＦ  ＣＯＮＴＲＯＬ  ＰＬＡＮＥ  ＡＮＤ  ＵＳＥＲ  ＰＬＡＮＥ  ＢＡＳＥＤ  ＯＮ  ＣＡＲＲＩＥＲ  ＡＧＧＲＥＧＡＴＩＯＮ」
【非特許文献】
【０００８】
【非特許文献１】第３世代パートナーシップ・プロジェクト（３ＧＰＰ）ロング・ターム・エボリューション（ＬＴＥ）リリース１２（Ｒ１２）（ＳＩ：ＲＰ−１２１８００）
【非特許文献２】３ＧＰＰ  ＴＳ３６．３２１
【発明の概要】
【発明が解決しようとする課題】
【０００９】
上記問題を考慮して、本発明は、１つのサービス／ＲＢ／ＬＣＨのデータが１つのセル／ノードだけを通して送信されることを保証するいくつかの特定の問題解決手法を提供しており、また１つのサービス／ＲＢ／ＬＣＨのデータが１つのセル／ノードだけを通して送信される場合に、どのようにして二次セル動作の影響を処理すべきかも提供する。
【課題を解決するための手段】
【００１０】
本発明の一態様によれば、１つのマクロ基地局と、１つまたは複数のスモール・セル基地局とを含むワイヤレス通信ネットワークにおいて、二重接続をサポートするための方法が、提供される。本方法は、ユーザ機器（ＵＥ）が最初にマクロ基地局にアクセスするときに、現在の論理チャネル（ＬＣＨ）が、Ｐセルまたはマクロ基地局によって処理されるように、ＵＥを一次セル（Ｐセル）またはマクロ基地局に接続するための初期化ステップであって、Ｐセルは、マクロ基地局に関連付けられ、また一次成分キャリアの上で動作する、初期化ステップと、ＬＣＨがマクロ基地局またはスモール・セル基地局のうちの１つによって処理されるべきであり、あるいはＰセルまたは二次セル（Ｓセル）によって処理されるべきであることを専用の無線リソース制御（ＲＲＣ）メッセージを通してＵＥに対して示すための表示ステップであって、Ｓセルは、二次成分キャリアの上で動作する、表示ステップとを含む。
【００１１】
本発明の別の態様によれば、１つのマクロ基地局と、１つまたは複数のスモール・セル基地局とを含むワイヤレス通信ネットワークにおいて、二重接続をサポートするための方法が、提供される。本方法は、一次セル（Ｐセル）または二次セル（Ｓセル）だけによって処理されるべき、あるいはマクロ基地局、またはスモール・セル基地局のうちの１つだけによって処理されるべき論理チャネル（ＬＣＨ）のデータを有するステップと、スモール・セル基地局のＬＣＨマッピングされたＳセルが非アクティブにされ、または解放されるとき、またワイヤレス通信ネットワークにおいて、スモール・セル基地局のうちの少なくとも別の１つのアクティブなＳセルが存在するときに、アクティブなスモール・セル基地局を通してＬＣＨのデータを送信するステップと、スモール・セル基地局のうちのすべてのＳセルが非アクティブにされ、または解放されるときに、マクロ基地局を通してＬＣＨのデータを送信するステップとを含む。
【００１２】
本発明の別の態様によれば、１つのマクロ基地局と、１つまたは複数のスモール・セル基地局とを含むワイヤレス通信ネットワークにおいて、二重接続をサポートするための方法が、提供される。本方法は、一次セル（Ｐセル）または二次セル（Ｓセル）だけによって処理されるべき、あるいはマクロ基地局、またはスモール・セル基地局のうちの１つだけによって処理されるべき論理チャネル（ＬＣＨ）のデータを有するステップと、スモール・セル基地局のＬＣＨマッピングされたＳセルが非アクティブにされるときに、Ｓセルが再びアクティブにされるまで、ＬＣＨの送信を待ち状態にするステップとを含む。
【００１３】
本発明の別の態様によれば、１つのマクロ基地局と、１つまたは複数のスモール・セル基地局とを含むワイヤレス通信ネットワークにおいて、二重接続をサポートするための方法が、提供される。本方法は、一次セル（Ｐセル）または二次セル（Ｓセル）だけによって処理されるべき、あるいはマクロ基地局、またはスモール・セル基地局のうちの１つだけによって処理されるべき論理チャネル（ＬＣＨ）のデータを有するステップと、スモール・セル基地局のＳセルが非アクティブにされるときに、マクロ基地局が、Ｓセルのアクティブ化／非アクティブ化ＭＡＣ  ＣＥにおいて「Ｒ」ビットを設定することにより、ＵＥ動作を示すステップとを含む。
【００１４】
本発明の別の態様によれば、１つのマクロ基地局と、１つまたは複数のスモール・セル基地局とを含むワイヤレス通信ネットワークにおいて、二重接続をサポートするための装置が、提供される。本装置は、ユーザ機器（ＵＥ）が最初にマクロ基地局にアクセスするときに、現在の論理チャネル（ＬＣＨ）が、Ｐセルまたはマクロ基地局によって処理されるように、ＵＥを一次セル（Ｐセル）またはマクロ基地局に接続するように構成された初期化ユニットであって、Ｐセルは、マクロ基地局に関連付けられ、また一次成分キャリアの上で動作する、初期化ユニットと、ＬＣＨが、マクロ基地局、またはスモール・セル基地局のうちの１つによって処理されるべきであり、あるいはＰセルまたは二次セル（Ｓセル）によって処理されるべきであることを専用の無線リソース制御（ＲＲＣ）メッセージを通してＵＥに対して示すように構成された表示ユニットであって、Ｓセルは、二次成分キャリアの上で動作する、表示ユニットとを備える。
【００１５】
本発明の別の態様によれば、１つのマクロ基地局と、１つまたは複数のスモール・セル基地局とを含むワイヤレス通信ネットワークにおいて、二重接続をサポートするための装置が、提供される。本装置は、一次セル（Ｐセル）または二次セル（Ｓセル）だけによって処理されるべき、あるいはマクロ基地局、またはスモール・セル基地局のうちの１つだけによって処理されるべき論理チャネル（ＬＣＨ）のデータを有するように構成された二重接続イネーブリング・ユニットと、スモール・セル基地局のＬＣＨマッピングされたＳセルが非アクティブにされ、または解放されるときに、またワイヤレス通信ネットワークにおいて、別のアクティブなスモール・セル基地局の少なくとも１つのＳセルが存在するときに、アクティブなスモール・セル基地局を通してＬＣＨのデータを送信するように構成されたセル変更処理ユニットとを備え、その処理ユニットは、さらに、スモール・セル基地局のうちのすべてのＳセルが非アクティブにされ、または解放されるときに、マクロ基地局を通してＬＣＨのデータを送信するように構成されている。
【発明の効果】
【００１６】
本発明の問題解決手法を用いて、スモール・セルのスケジューリング効率を改善することができ、またＣ−プレーンと、Ｕ−プレーンとの分離が達成される可能性がある。
【００１７】
以下の図面に示される本発明の特定の実施形態の説明を参照した後に、本発明は、より良く理解されることになり、また本発明の他の目的と、詳細と、特徴と、利点とは、より明らかになるであろう。
【図面の簡単な説明】
【００１８】
【図１】先行技術におけるネットワーク・アーキテクチャの概略図である。
【図２】本発明の実施形態による、二重接続をサポートするための方法のフロー・チャートである。
【図３】本発明の実施形態による、二重接続をサポートするための別の方法のフロー・チャートである。
【図４】本発明の実施形態による、二重接続をサポートするための装置のブロック図である。
【図５】本発明の実施形態による、二重接続をサポートするための別の装置のブロック図である。
【図６】先行技術における、Ｓセルのアクティブ化／非アクティブ化ＭＡＣ  ＣＥの概略図である。
【図７】本発明の実施形態に従って再構成されたＳセルのアクティブ化／非アクティブ化ＭＡＣ  ＣＥの概略図である。
【発明を実施するための形態】
【００１９】
すべての上記図面においては、同じ、または類似した符号は、同じ、類似した、または対応する特徴または機能を表している。
【００２０】
以降では、本開示の好ましい実施形態は、添付の図面を参照して、詳細に説明されるであろう。添付の図面は、本開示の好ましい実施形態を示しているが、本開示は、本明細書において説明される実施形態だけに限定されることなく、様々な形態で実施され得ることを理解すべきである。それとは反対に、これらの実施形態は、本開示をより徹底的に、また完全にするために提供され、また当業者に対して完全に本開示の範囲を伝えることができる。
【００２１】
図２は、本発明の実施形態による、二重接続をサポートするための方法２００のフロー・チャートを示すものである。図２に示されるように、本方法２００は、ＵＥが、最初にマクロ基地局ｅＮＢ＿Ｍにアクセスするときに、現在のＬＣＨが、ＰセルまたはｅＮＢ＿Ｍによって処理されるように、ＵＥをＰセルまたはｅＮＢ＿Ｍに接続する初期化ステップ２１０を含んでおり、そこでは、Ｐセルは、ｅＮＢ＿Ｍに関連付けられ、また一次成分キャリアの上で動作する。
【００２２】
次に、表示ステップ２２０において、ＵＥは、専用のＲＲＣメッセージを通して、ＬＣＨが、ｅＮＢ＿Ｍによって処理されることになるか、またはｅＮＢ＿Ｓによって処理されることになるかを、あるいはＬＣＨが、Ｐセルによって処理されることになるか、またはＳセルによって処理されることになるかを示される。
【００２３】
上記で述べられるように、二重接続をサポートするために、ＬＣＨのデータが、１つのセル／ノードだけを通して送信されることを保証することが重要であり、これは、より高いスケジューリング効率を達成するためのＣ−プレーンと、Ｕ−プレーンとの分離の概念と一致している。どのＬＣＨが、どのセル／ノードによって処理されるかをどのようにしてＵＥに対して示すかに関しては、３つのオプション、すなわち、
オプションＡ１：どのセル（ＰセルまたはＳセル）を通して、あるいはどのノード（ｅＮＢ＿ＭまたはｅＮＢ＿Ｓ）を通して、ＲＢ／ＬＣＨは、ＲＢ構成／再構成ＲＲＣメッセージを通して送信されることになるかをＵＥに対して示すこと、
オプションＡ２：Ｓセルは、Ｓセル構成／再構成ＲＲＣメッセージを通して、どのサービス／ＲＢ／ＬＣＨを処理することになるかをＵＥに対して示すこと、
オプションＡ３：各サービス／ＲＢ／ＬＣＨを処理するためのＰセルまたはＳセルをＵＥに対して示すために、各サービス／ＲＢ／ＬＣＨを構成する新しいＲＲＣメッセージを定義すること
が、存在している。
【００２４】
これらの３つのオプションは、以下で詳細に考察される。またＣ−プレーンと、Ｕ−プレーンとの分離をどのようにして実現するかが、これらの３つのオプションに基づいて、以下で考察される。
【００２５】
オプションＡ１に関して
オプションＡ１では、ＲＢを構成する／再構成するときに、このＲＢ送信についてのターゲット・セル（例えば、ＰセルまたはＳセル）あるいはターゲット・ノード（例えば、ｅＮＢ＿ＭまたはｅＮＢ＿Ｓ）は、ＲＢ構成／再構成メッセージに新しい情報要素を追加することにより示される。また、２つのサブ・オプションが、この新しい情報要素の定義に関して考慮されることもある。
【００２６】
サブ・オプションＡ１．１：この新しい情報要素は、構成された／再構成されたＲＢが、ＰセルまたはＳセルによって処理されることを示す。
【００２７】
一実施形態においては、新しい情報要素は、ＰセルまたはＳセルのインデックスを含んでいる。新しい情報要素の長さは、すべてのサポートされたＰセルとＳセルとの数に依存する。例えば、ネットワーク１００が、１つのＰセルと、７つのＳセルとをサポートするときに、情報要素の長さは、３ビットである。この場合には、例えば、インデックス０００は、Ｐセルのことを意味しており、またインデックス００１〜１１１は、サポートされた７つのＳセルのことをそれぞれ意味している。
【００２８】
さらに、空である新しい情報要素は、構成された／再構成されたＲＢが、Ｐセルによって処理されることを示す。
【００２９】
サブ・オプションＡ１．２：この新しい情報要素は、構成された／再構成されたＲＢが、ｅＮＢ＿ＭまたはｅＮＢ＿Ｓによって処理されることを示す。
【００３０】
一実施形態においては、新しい情報要素は、ｅＮＢ＿ＭまたはｅＮＢ＿Ｓのインデックスを含んでいる。新しい情報要素の長さは、ＵＥが、同時に接続することができるｅＮＢ＿Ｓの数に依存する。例えば、ただ１つのｅＮＢ＿Ｍと、１つのｅＮＢ＿Ｓとが、同時に１つのＵＥに接続されるようにサポートされる可能性があるときに、１ビットが、この情報要素のために必要とされる。１つのｅＮＢ＿Ｍと、３つまでのｅＮＢ＿Ｓとが、１つのＵＥに同時に接続される可能性がある場合、２ビットが、この情報要素のために必要とされる。この場合には、例えば、インデックス００は、ｅＮＢ＿Ｍのことを意味しており、またインデックス０１〜１１は、それぞれ、３つのｅＮＢ＿Ｓのことを意味している。
【００３１】
さらに、空である新しい情報要素は、構成された／再構成されたＲＢが、ｅＮＢ＿Ｍによって処理されることを示す。
【００３２】
分かるように、サブ・オプションＡ１．１と、サブ・オプションＡ１．２との間のただ１つの違いは、情報要素によって示されるＲＢ／ＬＣＨ処理ユニットの異なる粒度にある。
【００３３】
サブ・オプションＡ１．１は、ＲＢ／ＬＣＨを処理するための特定のセル（例えば、ＰセルまたはＳセル）を明示的に示すが、ＰセルまたはＳセルについての情報は、さらに、どの基地局（例えば、ｅＮＢ＿ＭまたはｅＮＢ＿Ｓ）が、このＲＢ／ＬＣＨを処理することになるかを暗黙のうちに示す。
【００３４】
オプションＡ２に関して
オプションＡ２では、Ｓセルを構成する／再構成するときに、ｅＮＢ＿Ｍは、Ｓセルの構成／再構成ＲＲＣメッセージに新しい情報要素を追加することにより、構成された／再構成されたＳセルによって処理されるべきＲＢ／ＬＣＨをＵＥに対して示す。例えば、それは、どのＬＣＨを構成された／再構成されたＳセルが処理することができるかをＵＥに対して示すことができる。構成された／再構成されたＳセルが、ある種のｅＮＢ＿Ｓに属する場合、ＵＥには、どの論理チャネルがｅＮＢ＿Ｓによって処理されることになるかが、はっきりと分かっている。この効果は、上記で提案されたサブ・オプションＡ１．１に類似している。例えば、第１のＳセルが、初期化ステップ（ステップ２１０）の後にセットアップされるときに、ｅＮＢ＿Ｍは、いくつかの現在のＬＣＨが、このＳセルによって処理されることになるかどうかをＵＥに対して示すことができる。肯定的である場合、関連したＬＣＨ（単数または複数）は、Ｐセルによってもう一度処理されることはないであろう。
【００３５】
さらに、ＲＢ／ＬＣＨが、さらに、構成されているときに、２つの以下のサブ・オプションが、これらの新しいＬＣＨを処理するために考慮される可能性がある。
【００３６】
（１）サブ・オプションＡ２．１：ＲＢ／ＬＣＨ構成／再構成メッセージをアップデートして、構成された／再構成されたＲＢ／ＬＣＨが、ＰセルまたはＳセルによって処理されるかどうかを示す新しい情報要素を追加すること。特定の示す方法は、上記で述べられたサブ・オプションＡ１．１に類似している。
【００３７】
（２）サブ・オプションＡ２．２：Ｓセルの構成／再構成ＲＲＣメッセージを使用して、構成された／再構成されたＲＢ／ＬＣＨが、ｅＮＢ＿ＭまたはｅＮＢ＿Ｓによって処理されるかどうかをＵＥに対して示すこと。ＵＥが、このＳセルの構成／再構成ＲＲＣメッセージを受信する前に、構成された／再構成されたＲＢ／ＬＣＨは、ステップ２１０において述べられるように、デフォルトでＰセルによって処理されるであろう。
【００３８】
サブ・オプションＡ２．１と比べると、サブ・オプションＡ２．２は、ＲＢ構成ＲＲＣプロシージャに影響を及ぼさないであろう。
【００３９】
オプションＡ３に関して
オプションＡ３では、新しい専用のＲＲＣメッセージが、各ＲＢ／ＬＣＨを処理するためのＰセルまたはＳセルを示し、あるいは各ＲＢ／ＬＣＨを処理するためのｅＮＢ＿ＭまたはｅＮＢ＿Ｓを示すためにＲ１２において定義される。この新しいＲＲＣメッセージを受信する前に、この新しい構成された／再構成されたＲＢでは、ＵＥは、それが、デフォルトでＰセルによって処理されることになることを知っている。
【００４０】
分かるように、オプションＡ３は、新しい専用のＲＲＣメッセージを定義する犠牲を伴って、オプションＡ１およびオプションＡ２と同じ効果を有している。それゆえに、以下では、本発明者等は、主として、オプションＡ１と、オプションＡ２とに焦点を当てる。
【００４１】
二重接続をサポートするための上記の方法２００によれば、１つのＬＣＨのデータは、１つのセル（例えば、ＰセルまたはＳセル）だけを通して送信され、あるいは１つのノード（例えば、ｅＮＢ＿ＭまたはｅＮＢ＿Ｓ）だけによって送信されることが保証され、その結果、Ｃ−プレーンと、Ｕ−プレーンとの分離は、実現される可能性がある。もちろん、これらのプロシージャはまた、何らかのＬＣＨ／ＲＢが、複数のセルまたは複数のノードによって処理されることを実現することもできる。
【００４２】
一実施形態においては、オプションＡ１と、オプションＡ２とは、現在のＳＩ提案に従ってＣ−プレーンと、Ｕ−プレーンとの分離をサポートするように、以下のように簡略化される可能性がある。
【００４３】
オプションＡ１では、ＳＲＢが、セットアップされるときに、ＲＢセットアップ・プロシージャに対するアップデートはなく、その結果、ＳＲＢは、デフォルトで、ＰセルまたはｅＮＢ＿Ｍによって処理されることになる。またＤＲＢが、セットアップされるときに、新しいＲＢセットアップ・プロシージャが、使用されるようになり、またこの新しい情報要素は、ｅＮＢ＿Ｓに関係づけられることになる。すなわち、サブ・オプションＡ１．２は、有利に選択されることもあり、その結果、ＵＥは、ＤＲＢが、ｅＮＢ＿Ｓによって処理されることになることを知ることができる。
【００４４】
オプションＡ２では、ｅＮＢ＿Ｓに属する新しいＳセルが、追加される前に、すべての現在のＬＣＨは、デフォルトで、ｅＮＢ＿Ｍによって処理されることになる。またｅＮＢ＿Ｓに属するＳセルが、セットアップされるときに、それは、どのＤＲＢが、この新しいＳセルによって処理されることになるかを示すべきである。ｅＮＢ＿Ｍに属するＳセルを構成する／再構成するときに、この新しい情報要素は、必要とされず、どのＬＣＨをこの新しいＳセルが、処理することになるかを示すことは、必要ではない。
【００４５】
さらに、Ｒ１２において、ＳＲＢが、ｅＮＢ＿Ｍだけによって処理されるように指定され、またＤＲＢが、ｅＮＢ＿Ｓだけによって処理されるように指定される場合、そのときにはＵＥは、アクティブであるｅＮＢ＿ＳのＳセルが存在しているか否かを知る必要があるだけである。肯定的な場合、そのときにはＵＥは、指定された動作を行うことになり、その結果、ＤＲＢは、ｅＮＢ＿Ｓによって処理されるだけになる。否定的な場合、すべての現在の構成されたＳＲＢ／ＤＲＢは、ｅＮＢ＿Ｍによって処理されることになる。
【００４６】
少なくとも１つのＳセルが、ｅＮＢ＿Ｓに属することをＵＥに知らせるために、この構成された／再構成されたＳセルがｅＮＢ＿Ｓに属するか否かを識別することは、Ｓセルの構成／再構成ＲＲＣメッセージに新しい情報要素を追加することにより、行われる可能性がある。代わりに、本発明者等は、Ｃ−プレーンと、Ｕ−プレーンとの分離をサポートする以下のオプションＡ３’を、すなわち、
オプション３’：この構成された／再構成されたＳセルが、ｅＮＢ＿Ｓに属するか否かを識別する、Ｓセルの構成／再構成ＲＲＣメッセージの中に１つの新しい情報要素を挿入することを
有している。
【００４７】
要約すれば、オプションＡ１／Ａ２／Ａ３は、１つのサービス／ＲＢ／ＬＣＨが、Ｒ１２において二重接続をサポートするときに、ただ１つのセル／ノードによって処理されて、スケジューリング効率を改善することになるという目標を実現することができる。また、Ｃ−プレーンと、Ｕ−プレーンとの分離は、これらのオプションに基づいて簡単にサポートされる可能性もある。
【００４８】
図３は、本発明の実施形態による、二重接続をサポートするための別の方法３００のフロー・チャートを示すものである。本方法３００は、ＬＣＨのデータが、１つのセル／ノードによって処理されるだけであることを保証した後に、どのようにしてＳセル・オペレーション（例えば、Ｓセルのアクティブ化／非アクティブ化／解放）の影響に対処すべきかを対象としており、ここでは、１つのセル／ノードだけによって処理されるＬＣＨのデータは、上記のオプションＡ１、Ａ２、およびＡ３のうちの任意の１つによって実現される可能性がある。しかしながら、本発明は、これだけには限定されず、また１つのＬＣＨのデータが、１つのセル／ノードによって処理されるだけであることを保証することができる任意の問題解決手法は、本発明の範囲内に含まれる。本方法３００は、ステップ３１０を含んでおり、このステップは、ＬＣＨのデータが、ＰセルまたはＳセルによって処理されるだけであり、あるいはｅＮＢ＿ＭまたはｅＮＢ＿Ｓによって処理されるだけであることを達成する。
【００４９】
ＬＣＨのデータが、１つのセル／ノードによって処理されるだけであることを保証するときに、どのセル／ノードにより、各ＲＢ／ＬＣＨが、処理されるかは、ＵＥについて、はっきりと分かっている。ＣＡの概念によれば、Ｐセルは、常にアクティブ状態を保持することになり、このことは、Ｐセルにより、またはｅＮＢ＿Ｍにより処理されるこれらのＬＣＨに影響を及ぼすことはないであろう。しかし一方で、Ｓセルは、異なる状況について動的に非アクティブにされる／アクティブにされる／解放されることもあるので、これらのＳセルのオペレーションは、それによって処理されるＬＣＨに影響を及ぼすことになる。ＵＥ動作に対する重要な影響は、アップリンク（ＵＬ）ＬＣＰプロシージャの中にある。
【００５０】
サービス／ＲＢ／ＬＣＨが、セル（例えば、ＰセルまたはＳセル）によって処理されるか、あるいはノード（例えば、ｅＮＢ＿ＭまたはｅＮＢ＿Ｓ）によって処理されるかに従って、ここで、「処理する」はまた、「マッピングする」または「リンクする」と呼ばれる可能性もあり、このことは、ＬＣＨの処理ユニットが、セル（例えば、ＰセルまたはＳセル）であるか、あるいはノード（例えば、ｅＮＢ＿ＭまたはｅＮＢ＿Ｓ）であるかを意味している。それゆえに、ＬＣＨについての処理ユニットを指定する２−レベルの粒度が、存在している。
レベル１：Ｐセル、ｅＮＢ＿ＭのＳセル、ｅＮＢ＿ＳのＳセルなど、ＬＣＨを処理するための特定のセルを指定するもの。これは、上記で提案されるように、オプションＡ１＋サブ・オプションＡ１．１あるいはオプションＡ２またはオプションＡ３によって行われる可能性がある。
レベル２：ｅＮＢ＿Ｍ、ｅＮＢ＿Ｓなど、ＬＣＨを処理するための特定のノードを指定するもの。これは、上記で提案されるように、オプションＡ１＋サブ・オプションＡ１．２あるいはオプションＡ２またはオプションＡ３によって行われる可能性がある。
【００５１】
ハイ・レベルの観点から、そのレベルに関係なく、Ｒ１２において、新しいＵＬ  ＬＣＰプロシージャが、以下のように規定されるべきであり、これは、以下の２つのケースを対象として含んでいる。
ケース１：ＵＥは、ｅＮＢ＿Ｍによって処理される、ＬＣＨの間のＲ１０により規定されるＬＣＰプロシージャを行う。
ケース２：ＵＥは、ｅＮＢ＿Ｓによって処理される、ＬＣＨの間のＲ１０により規定されるＬＣＰプロシージャを行う。
【００５２】
ＵＥ動作は、これら２つのレベルに従って、以下のように考察される。
【００５３】
レベル１：ＬＣＨは、明示的に１つの特定のセルに対してマッピングされる
このレベルでは、ＵＥには、１つのＬＣＨが、どのセル（ＰセルあるいはｅＮＢ＿ＭのＳセルまたはｅＮＢ＿ＳのＳセル）によって処理されることになるかが、非常にはっきり分かっている。ｅＮＢ＿ＭのＳセルが非アクティブにされる／解放されるときに、ケース１は、少なくともＰセルが、使用される可能性があるので、影響を受けないことになる。これはまた、ｅＮＢ＿ＭのＳセルにＬＣＨを割り当てる必要がない上記の提案と一致している。しかし、ｅＮＢ＿ＳのＳセルが非アクティブにされる／解放されるときに、以下の２つのオプションは、Ｓセルに割り当てられるＬＣＨを処理することができる。
オプションＢ１：一実施形態においては、ＬＣＨがマッピングされる相手のｅＮＢ＿ＳのＳセルが非アクティブにされ、または解放されるときに、Ｓセルに対してマッピングされるＬＣＨの送信は、Ｓセルが、もう一度アクティブにされるまで、待ち状態にされることになる。
オプションＢ２：別の実施形態においては、ＬＣＨがマッピングされる相手のｅＮＢ＿ＳのＳセルが非アクティブにされ、または解放されるときに、またｅＮＢ＿Ｓの少なくとも別のアクティブなＳセルが存在するときに、ＵＥは、方法３００のステップ３２０において示されるように、アクティブなＳセルを通してＬＣＨのデータを送信し続ける。またｅＮＢ＿ＳのすべてのＳセルが非アクティブにされ、または解放されるときに、ＵＥは、方法３００のステップ３３０において示されるように、ｅＮＢ＿Ｍを通してＬＣＨのデータを送信する。このようにして、ＬＣＨのデータは、たとえそのマッピングされたＳセルが非アクティブにされたとしても、送信される機会を有することが保証される。
【００５４】
これら２つのオプションを実現するために、以下の２つのスキームが、考慮される可能性がある。
スキーム１：方法３００は、所定の規則に従って、ＵＥによって自動的に実施される。
スキーム２：方法３００は、ｅＮＢ＿Ｍによって明示的に命令されるＵＥによって実施される。
【００５５】
これら２つのスキームは、以下のようにそれぞれ考察される。
【００５６】
スキーム１：ＵＥは、所定の規則に従って自動的に動作する
スキーム１を実現するために、Ｒ１２は、以下のようにＵＥ動作を誘導する新しい規則を規定する必要がある。
【００５７】
オプションＢ１をサポートする新しい規則：
規則１．１：ＵＥは、ＬＣＨによりマッピングされる／リンクされるＳセルが非アクティブにされる／解放される場合に、ＬＣＨ送信を待ち状態にするべきである。このオプションは、非常に簡単であるので、このオプションは、以下でさらに、考察されないであろう。欠点は、影響を受けたＬＣＨ送信の中断が起こることになることである。
【００５８】
オプションＢ２をサポートする新しい規則
規則２．１：ｅＮＢ＿ＳのＬＣＨマッピングされたＳセルが非アクティブにされ／解放され、またｅＮＢ＿Ｓの少なくとも１つのアクティブなＳセルが存在するときに、ＵＥは、アクティブなｅＮＢ＿Ｓを通してＬＣＨのデータを送信し続ける。
【００５９】
規則２．２：ｅＮＢ＿ＳのすべてのＳセルが非アクティブにされるときに、ＵＥは、ｅＮＢ＿Ｍを通してＬＣＨのデータを送信し続ける。
【００６０】
さらに、ｅＮＢ＿ＳのＬＣＨマッピングされたＳセルが、解放されるという状況では、規則２．３は、以下のように規定されることもある。
規則２．３：ｅＮＢ＿ＳのＬＣＨマッピングされたＳセルが、解放されるときに、ＵＥの混乱を回避するために、新しい情報要素が、どのセル（例えば、ＰセルまたはＳセル）／ノード（例えば、ｅＮＢ＿ＭまたはｅＮＢ＿Ｓ）によりＬＣＨが処理されることになるかを示す、Ｓセルを解放するためのＲＲＣメッセージに追加される。さらに、Ｓセルを解放するためのＲＲＣメッセージが、この情報を与えることがない、または追加された情報要素が、空であるときに、ＵＥは、ＬＣＨが、ｅＮＢ＿Ｍによって処理されることになることを知っていることがさらに規定されることもある。
【００６１】
オプションＢ２をサポートする規則の利点は、ｅＮＢ＿ＳのＳセルが非アクティブにされる／解放されるようになるときに、待ち状態の論理チャネルが、存在しないことになることを保証することである。
【００６２】
特に、スキーム１は、さらに、Ｒ１２において、Ｃ−プレーンと、Ｕ−プレーンとの分離を実現する以下の規則によって簡略化される可能性がある。
規則２．１：アクティブに保持する、ｅＮＢ＿Ｓの少なくとも１つのＳセルが存在することを仮定すると、ＵＥは、ｅＮＢ＿Ｓを通してすべてのＤＲＢを送信することになり、またｅＮＢ＿ＳのＳセルの非アクティブ化オペレーションによって影響を受けないことになる。
規則２．２：ｅＮＢ＿ＳのすべてのＳセルが非アクティブにされる／解放される場合、ＵＥは、ｅＮＢ＿Ｍを通してすべてのＤＲＢを送信し始めることになり、またはｅＮＢ＿Ｓによって処理されるすべてのＬＣＨ送信を待ち状態にする。
規則２．３：ＳＲＢは、ｅＮＢ＿ＭのＳセルの非アクティブ化／アクティブ化／解放オペレーションにかかわらず、ｅＮＢ＿Ｍを通して送信されることになる。
【００６３】
スキーム２：方法３００は、ｅＮＢ＿Ｍによって明示的に命令されるＵＥによって実施される
スキーム２では、すべてのＵＥ動作は、ｅＮＢ＿Ｍによって制御される。例えば、ｅＮＢ＿ＳのＳセルが非アクティブにされ、またｅＮＢ＿Ｓが、ｅＮＢ＿Ｍを通して関連したＬＣＨのデータを送信することをＵＥに望むときに、アクティブなｅＮＢ＿ＳのＳセルが存在するか否かにかかわらず、スキーム１の上記の新しい規則は、機能することができない。この状況では、ｅＮＢ＿Ｍは、Ｓセルのアクティブな／非アクティブな媒体アクセス制御（ＭＡＣ：Ｍｅｄｉａ  Ａｃｃｅｓｓ  Ｃｏｎｔｒｏｌ）の制御要素（ＣＥ：Ｃｏｎｔｒｏｌ  Ｅｌｅｍｅｎｔ）によってＵＥ動作を明示的に示すことができる。
【００６４】
図６は、既存のＳセルのアクティブ化／非アクティブ化ＭＡＣ  ＣＥの概略図を示すものである。図６に示されるように、３ＧＰＰ  ＴＳ３６．３２１による既存のＳセルのアクティブ化／非アクティブ化ＭＡＣ  ＣＥにおいては、後での使用のために予約される「Ｒ」ビットが、存在している。この「Ｒ」ビットは、明示的にＵＥ動作を示すように再定義される可能性もある。図７は、本発明の実施形態による再構成されたＳセルのアクティブ化／非アクティブ化ＭＡＣ  ＣＥの概略図を示すものである。
【００６５】
図７に示されるように、「Ｒ」＝０は、ＵＥが、ｅＮＢ＿Ｓを通して影響を受けたＬＣＨのデータを送信し続けることを示す。この場合には、非アクティブにされているＳセルが、最後のものである場合に、ＵＥは、影響を受けたＬＣＨの送信を待ち状態にすることになる。その理由は、ｅＮＢ＿Ｓの上にアクティブなＳセルが存在しておらず、またＵＥが、ｅＮＢ＿Ｍを通してこれらの影響を受けたＬＣＨを送信することが許可されないことである。
【００６６】
図７に示されるように、「Ｒ」＝１は、ＵＥが、ｅＮＢ＿Ｍを通して、影響を受けたＬＣＨのデータを送信することができることを示す。この場合については、ｅＮＢ＿Ｓの上にアクティブなＳセルが存在しているか否かにかかわらず、ＵＥは、ｅＮＢ＿Ｍを通して、これらの影響を受けたＬＣＨのデータを送信し始めることになる。
【００６７】
さらに、Ｃ−プレーンと、Ｕ−プレーンとの分離を実現するために、スキーム２は、さらに、以下のように規定される可能性がある。
【００６８】
「Ｒ」＝０であり、またアクティブである少なくとも１つのｅＮＢ＿ＳのＳセルが存在している場合には、ＵＥは、ｅＮＢ＿Ｓを通して、ＤＲＢデータを送信し続ける。
【００６９】
「Ｒ」＝０であり、またアクティブであるｅＮＢ＿ＳのＳセルが存在していない場合には、ＵＥは、ｅＮＢ＿Ｓが、ｅＮＢ＿Ｍを通して、ＤＲＢを送信することが許可されないので、すべてのＤＲＢ送信を待ち状態にすることになる。
【００７０】
「Ｒ」＝１であり、またアクティブである少なくとも１つのｅＮＢ＿ＳのＳセルが存在している場合には、ＵＥは、ＵＥが、ｅＮＢ＿Ｍを通して、ＤＲＢを送信することができないので、非アクティブにされたｅＮＢ＿ＳのＳセルによって処理される影響を受けたＬＣＨを待ち状態にすることになる。理由は、使用され得る少なくとも１つのｅＮＢ＿ＳのＳセルが存在しており、またｅＮＢ＿Ｍを通してのＤＲＢの送信が、許可されないことである。
【００７１】
「Ｒ」＝１であり、またアクティブであるｅＮＢ＿ＳのＳセルが存在していない場合には、ＵＥは、ｅＮＢ＿Ｍを通して、すべてのＤＲＢを送信し続ける。
【００７２】
レベル２：ＬＣＨは、１つのノードにマッピングされる
このレベルでは、ＵＥは、どのノード（例えば、ｅＮＢ＿ＭまたはｅＮＢ＿Ｓ）により１つのＬＣＨが処理されることになるかを知っているだけである。それゆえに、ｅＮＢ＿ＳのＳセルの非アクティブ化／アクティブ化／解放オペレーションは、最後のｅＮＢ＿ＳのＳセルが非アクティブになっているまで、ＵＥのＵＬ  ＬＣＰプロシージャに直接に影響を及ぼさないであろう。またレベル１のために提案されるスキーム１と、スキーム２とは、以下のスキーム１’と、スキーム２’とに変更される可能性がある。
【００７３】
スキーム１’：方法３００は、所定の規則に従って、ＵＥによって自動的に実施され、そこでは以下の新しい規則が、規定される。
規則１’：アクティブである少なくとも１つのｅＮＢ＿ＳのＳセルが存在している場合、ｅＮＢ＿ＳにマッピングされるすべてのＬＣＨは、ｅＮＢ＿Ｓを通して送信され、またｅＮＢ＿ＳのＳセルの非アクティブ化／解放オペレーションによる影響を受けないことになる。
規則２’：すべてのｅＮＢ＿ＳのＳセルが非アクティブにされ、または解放されるときに、ＵＥは、一時的に、ｅＮＢ＿Ｍを通して、ｅＮＢ＿ＳにマッピングされるすべてのＬＣＨを送信し続け、その結果、ｅＮＢ＿Ｓにより処理されるＬＣＨ送信についての待ち状態は存在しない。
【００７４】
スキーム２’：方法３００は、ｅＮＢ＿Ｍによって明示的に命令されるＵＥによって実施される。
スキーム２’においては、Ｓセルのアクティブ化／非アクティブ化ＭＡＣ  ＣＥにおける「Ｒ」ビットが、以下のように規定されることになる。
【００７５】
アクティブである少なくとも１つのｅＮＢ＿ＳのＳセルが存在している場合、「Ｒ」ビットは、無視される。
【００７６】
「Ｒ＝０」であり、またすべてのｅＮＢ＿ＳのＳセルが非アクティブにされる場合には、ＵＥは、一時的に、ｅＮＢ＿Ｍを通して、ｅＮＢ＿Ｓによって処理されるすべてのＬＣＨを送信し続ける。
【００７７】
「Ｒ＝１」であり、またすべてのｅＮＢ＿ＳのＳセルが非アクティブにされる場合には、ＵＥは、ｅＮＢ＿Ｓが、ｅＮＢ＿Ｍを通してその処理されたＬＣＨを送信することが許可されないので、ｅＮＢ＿ＳにマッピングされるすべてのＬＣＨを待ち状態にする。
【００７８】
レベル２は、Ｃ−プレーンと、Ｕ−プレーンとの分離を実現することが非常に簡単である。
【００７９】
レベル２において、スキーム１’では、新しい規則が、以下のように規定される可能性がある。
【００８０】
アクティブである少なくとも１つのｅＮＢ＿ＳのＳセルが存在している場合、ＵＥは、ｅＮＢ＿Ｓを通して、すべてのＤＲＢを送信し続けることになる。
【００８１】
すべてのｅＮＢ＿ＳのＳセルが非アクティブにされるときに、ＵＥは、ｅＮＢ＿Ｍを通して、すべてのＤＲＢを送信し続ける。
【００８２】
レベル２において、スキーム２’では、「Ｒ」ビットは、以下のように再定義される可能性がある。
【００８３】
アクティブである少なくとも１つのｅＮＢ＿ＳのＳセルが存在している場合、「Ｒ」ビットは無視され、またＵＥは、ｅＮＢ＿Ｓを通してすべてのＤＲＢを送信し続ける。
【００８４】
「Ｒ」＝０であり、またすべてのｅＮＢ＿ＳのＳセルが非アクティブにされる場合には、ＵＥは、一時的に、ｅＮＢ＿Ｍを通して、すべてのＤＲＢを送信し続ける。
【００８５】
「Ｒ」＝１であり、またすべてのｅＮＢ＿ＳのＳセルが非アクティブにされる場合には、ｅＮＢ＿Ｓが、ｅＮＢ＿Ｍを通してＤＲＢを送信することが許可されないので、ＵＥは、すべてのＤＲＢ送信を待ち状態にする。
【００８６】
図４は、本発明の実施形態による二重接続をサポートするための装置４００のブロック図を示すものである。装置４００は、ｅＮＢ＿Ｍの中で、実施される可能性があり、またはｅＮＢ＿Ｍによって実施される可能性もある。図４に示されるように、装置４００は、初期化ユニット４１０を含んでおり、この初期化ユニットは、ＵＥが、最初にｅＮＢ＿Ｍにアクセスするときに、現在のＬＣＨが、ＰセルまたはｅＮＢ＿Ｍによって処理されるように、ＰセルまたはｅＮＢ＿ＭにＵＥを接続するように構成されている。装置４００はまた、表示ユニット４２０も含んでおり、この表示ユニットは、ＬＣＨが、ｅＮＢ＿ＭまたはｅＮＢ＿Ｓによって処理されるべきであり、あるいはＰセルまたはＳセルによって処理されるべきであることを専用のＲＲＣメッセージを通して、ＵＥに対して示すように構成されている。
【００８７】
図５は、本発明の実施形態による、二重接続をサポートするための別の装置５００のブロック図を示すものである。装置５００は、例えば、ｅＮＢ＿Ｍの中で実施される可能性があり、またはｅＮＢ＿Ｍによって実施される可能性もある。図５に示されるように、装置５００は、二重接続イネーブリング・ユニット５１０を含んでおり、この二重接続イネーブリング・ユニットは、ＬＣＨのデータをＰセルまたはＳセルによって処理されるだけ、あるいはｅＮＢ＿ＭまたはｅＮＢ＿Ｓによって処理されるだけにするように構成されている。装置５００はまた、セル変更処理ユニット５２０も含んでおり、このセル変更処理ユニットは、ｅＮＢ＿ＳのＬＣＨによりマッピングされたＳセルが非アクティブにされ、または解放されるときに、またｅＮＢ＿Ｓの少なくとも別の１つのアクティブなＳセルが存在するときに、アクティブなｅＮＢ＿Ｓを通して、ＬＣＨのデータを送信するように構成されており、またセル変更処理ユニット５２０は、さらに、ｅＮＢ＿ＳのすべてのＳセルが非アクティブにされ、または解放されるときに、ｅＮＢ＿Ｍを通して、ＬＣＨのデータを送信するように構成されている。
【００８８】
本開示においては、使用される用語との関連によれば、用語「基地局」は、基地局のカバレッジ、および／またはカバレッジをサービスする基地局または基地局サブシステムのことを意味することができる。
【００８９】
さらに、本開示においては、方法３００について述べられるように、「Ｒ」ビットの定義は、単に例示的な説明にすぎない。当業者なら、それが、ＵＥの動作を明示的に示すことができる限り、反対の定義、または他の異なる定義を簡単に行うことができる。
【００９０】
本発明において提案されるキャリア集約に基づいた二重接続スキームを利用すれば、スモール・セル・スケジューリング効率は、改善される可能性があり、またＣ−プレーンと、Ｕ−プレーンとの分離は、達成される可能性がある。
【００９１】
ここでは、開示されるような方法は、添付図面を参照して説明されている。しかしながら、図面の中で例証され、また明細書の中で説明されるようなステップのシーケンスは、例証的なものにすぎず、また特許請求の範囲を逸脱することなく、これらの方法のステップおよび／またはアクションは、図面の中で示され、また明細書の中で説明されるような特定のシーケンスだけに限定されることなく、異なるシーケンスの中で実行され得ることを理解すべきである。
【００９２】
１つまたは複数の例示の設計においては、本出願の機能は、ハードウェア、ソフトウェア、ファームウェア、またはそれらの任意の組合せを使用して実施されることもある。ソフトウェアを用いた実施の場合には、機能は、１つまたは複数の命令またはコードとして、コンピュータ読取り可能媒体の上に記憶され、あるいはコンピュータ読取り可能媒体の上の１つまたは複数の命令またはコードとして送信されることもある。コンピュータ読取り可能媒体は、コンピュータ・ストレージ媒体と、通信媒体とを含んでいる。通信媒体は、ある場所から別の場所へとコンピュータ・プログラムの送信を容易にする任意の媒体を含んでいる。ストレージ媒体は、汎用コンピュータまたは専用コンピュータにアクセス可能な任意の使用可能な媒体とすることができる。コンピュータ読取り可能媒体は、例えば、それだけには限定されないが、ＲＡＭ、ＲＯＭ、ＥＥＰＲＯＭ、ＣＤ−ＲＯＭまたは他の光ディスク・ストレージ・デバイス、磁気ディスク・ストレージ・デバイスまたは他の磁気ストレージ・デバイス、あるいは汎用コンピュータもしくは専用コンピュータ、または汎用プロセッサもしくは専用プロセッサによってアクセス可能な命令またはデータ構造のやり方で、望ましいプログラム・コード手段を搬送し、または記憶する任意の他の媒体を含むことができる。さらに、任意の接続は、コンピュータ読取り可能媒体として考えられる可能性もある。例えば、ソフトウェアが、同軸ケーブル、光ケーブル、ツイスト・ペア線、デジタル加入者回線（ＤＳＬ：ｄｉｇｉｔａｌ  ｓｕｂｓｃｒｉｂｅｒ  ｌｉｎｅ）、または赤外線、無線、マイクロ波などの無線技術を使用して、ウェブサイト、サーバ、または他のリモート・ソースから送信される場合、そのときには、同軸ケーブル、光ケーブル、ツイスト・ペア線、デジタル加入者回線（ＤＳＬ）、または赤外線、無線、マイクロ波などの無線技術もまた、媒体の定義によって対象として含まれる。
【００９３】
本明細書において本開示に関連して説明される様々な例示の論理ブロック、モジュール、および回路は、本明細書において説明される機能を実行するように設計された汎用プロセッサ、デジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）または他のプログラマブル・ロジック・デバイス、ディスクリート・ゲートまたはトランジスタ・ロジック、ディスクリート・ハードウェア・コンポーネント、あるいはそれらの任意の組合せを用いて、実施され、または実行されることもある。汎用プロセッサは、マイクロプロセッサとすることもできるが、代替案においては、プロセッサは、任意の通常のプロセッサ、コントローラ、マイクロコントローラ、または状態機械とすることができる。プロセッサはまた、コンピューティング・デバイスの組合せとして、例えば、ＤＳＰとマイクロプロセッサとの組合せ、複数のマイクロプロセッサ、ＤＳＰコアと組み合わされた１つまたは複数のマイクロプロセッサ、あるいは任意の他のそのような構成として実施される可能性もある。
【００９４】
当業者なら、さらに、本明細書において本開示に関連して説明される様々な実例となる論理的なブロック、モジュール、回路、およびアルゴリズム・ステップは、電子的ハードウェア、コンピュータ・ソフトウェア、またはそれら両方の組合せとして実施され得ることを理解するであろう。ハードウェアと、ソフトウェアとのこの互換性を明確に例証するために、様々な実例となるコンポーネント、ブロック、モジュール、回路、およびステップが、それらの機能の観点から一般的に上記で説明されている。そのような機能が、ハードウェアとして実施されるか、またはソフトウェアとして実施されるかは、特定のアプリケーション、または全体的なシステムの上に課される設計制約条件に依存する。当業者なら、おのおのの特定のアプリケーションについて様々なやり方で説明された機能を実施することができるが、そのような実施の決定は、本開示の範囲からの逸脱を引き起こすものとしては解釈されるべきではない。
【００９５】
本開示についての上記表現は、当業者の誰もが、本発明を実施し、または使用することを可能にするものである。当業者にとっては、本開示についての様々な修正形態は、明らかであり、また本明細書において規定される一般的な原理は、本発明の精神および保護範囲を逸脱することなく、他の変形形態にも適用される可能性もある。それゆえに、本発明は、本明細書において説明されるような例および設計だけに限定されることはないが、本開示の原理と新規の特徴とについての最も広い範囲と整合しているべきである。
【図１】
2016518062.tif 000003
【図２】
2016518062.tif 000004
【図３】
2016518062.tif 000005
【図４】
2016518062.tif 000006
【図５】
2016518062.tif 000007
【図６】
2016518062.tif 000008
【図７】
2016518062.tif 000009
【国際調査報告】
2016518062.tif 000010
2016518062.tif 000011
2016518062.tif 000012
2016518062.tif 000013
2016518062.tif 000014
2016518062.tif 000015
2016518062.tif 000016
2016518062.tif 000017